(57)【特許請求の範囲】
【請求項１】
管理サーバとそれに接続する端末装置とを含み、
前記管理サーバは、
利用者が使用する携帯端末から個体情報を受信し登録し、前記端末装置にアクセスしている利用者の前記携帯端末の個体情報が登録されているかどうかによって照合を行う個体情報管理部と、
公営競技における各競走情報を管理し、前記携帯端末からの要求に応じて前記競走情報を配信する競走情報管理部と、
前記競走情報管理部から取得した競走情報に基づき前記携帯端末によって選別された仮投票データを、前記携帯端末から受信して保存し、前記個体情報管理部が該仮投票データを送信した前記携帯端末を照合した場合、該仮投票データを前記端末装置に表示させるため送信し、さらに該仮投票データに対し前記端末装置による入力によって投票確定され投票金額が受理された場合、該仮投票データを投票データとして保存し、前記投票データを前記利用者の携帯端末に送信する投票データ管理部と、
を含み、
前記端末装置は、
表示される仮投票データに基づき、利用者の投票確定を入力する入力部と、
払い戻しのために前記携帯端末からアクセスを受け、前記携帯端末に記憶された前記投票データを受信し、前記アクセス時に前記携帯端末から送信される個体情報を前記個体情報管理部に送信し、さらに、前記個体情報管理部での前記個体情報の確認結果に基づいて前記投票データ管理部から前記投票データを受信する通信部と、
前記通信部において前記投票データ管理部から受信する投票データと、前記携帯端末から受信する前記投票データとを比較して、合致しているかどうかを判定する投票データ比較部と、
前記入力部による投票確定の際に投票金額を受理し、前記投票データ比較部から投票データの合致を通知された際に払戻金を出金する現金処理部と
を含む公営競技におけるペーパーレス投票システム。
【請求項２】
前記個体情報管理部は、前記通信部から前記個体情報を受信したとき、受信した個体情報が登録済みであるか確認し、登録済みでなければ、前記通信部にエラーメッセージを送信し、
個体情報が登録済みであれば、投票データ管理部は受信した個体情報で登録されている投票データが保存されているかどうかを調査し、前記投票データが保存されている場合、前記通信部に投票データを送信し、保存されていない場合、投票データ管理部は、前記通信部にエラーメッセージを送信する請求項１に記載の公営競技におけるペーパーレス投票システム。
【請求項３】
利用者の携帯端末の個体番号を投票情報管理サーバの個体情報管理部が保存し、
管理サーバの投票データ管理部は、管理サーバの競走情報管理部から取得した競走情報を参考に利用者によって携帯端末で入力された仮投票データを受信し、
前記個体情報管理部は、公営競技端末装置にアクセスしている利用者の携帯電話端末の個体番号が前記個体情報管理部に登録されているかどうかによって照合を行い、
登録されていれば前記投票データ管理部は、前記端末装置に仮投票データを送信し、前記端末装置の表示部は仮投票データの内容を表示し、
前記端末装置の入力部は利用者から投票確定の確認を取り、
入力部から投票確定が通知された場合、現金処理部が利用者から投票金額を受理し、
仮投票データを投票データとして、携帯端末の投票データ記憶部と前記投票情報管理サーバの投票データ管理部が記憶する
公営競技における投票方法。
【請求項４】
利用者の携帯端末の個体番号を個体情報管理部が保存し、
公営競技における各競走情報を管理し、前記携帯端末からの要求に応じて前記競走情報を配信し、配信され競走情報を参考に利用者によって携帯端末で入力された仮投票データを受信し、
公営競技端末装置にアクセスしている利用者の携帯電話端末の個体番号が前記個体情報管理部に登録されているかどうかによって照合を行い、
登録されていれば前記端末装置に仮投票データを送信し、
前記端末装置の入力部から投票確定が通知され前記端末装置で投票金額が受理された場合、仮投票データを投票データとして、前記投票データ管理部が記憶する処理
を投票情報管理サーバに実行させるプログラム。
【発明の詳細な説明】
【技術分野】
【０００１】
本発明は、公営競技におけるペーパーレス投票システム、投票方法、及びそのためのプログラムに関する。
【背景技術】
【０００２】
公営競技における投票システムにおいて、ペーパーレス化する技術が知られている。
【０００３】
ペーパーレス化する技術の一例が特許文献１に記載されている。特許文献１に記載されたペーパーレス化する技術は、携帯電話で公営競技の投票を行い、掛け金や払戻金の処理は銀行口座によって行う。
【先行技術文献】
【特許文献】
【０００４】
【特許文献１】特開２００２−１２３６４２号公報
【発明の概要】
【発明が解決しようとする課題】
【０００５】
しかしながら、上述した技術文献１に記載された技術は、コンビニエンスストア等に設置された端末機により契約を行う。したがって、技術文献１に記載された技術は、十分な本人確認を介さず契約でき、未成年の契約や他人になりすました契約を完全に排除できないという問題点がある。また、掛け金や払戻金の処理を銀行口座のみで行う。したがって、技術文献１に記載された技術は、不正に開設された銀行口座、例えば違法ななりすまし口座の利用による不正投票参加の危険性があるという問題点がある。
【０００６】
本発明の目的の一例は、上述した問題点を解決できる公営競技におけるペーパーレス投票システム、投票方法およびプログラムを提供することにある。
【課題を解決するための手段】
【０００７】
本発明の一形態における第一の公営競技におけるペーパーレス投票システムは、
利用者が使用する携帯端末から個体情報を受信し登録する個体情報管理部と、
公営競技における各競走情報を管理し、前記携帯端末からの要求に応じて前記競走情報を配信する競走情報管理部と、
利用者の投票確定を入力する入力部と、
前記競走情報に基づき前記携帯端末によって選別された仮投票データを、前記携帯端末から受信して保存し、さらに該仮投票データに対し前記入力部によって投票確定された投票データを保存し、前記投票データを前記利用者の携帯端末に送信する投票データ管理部と、
払い戻しのために前記携帯端末からアクセスを受け、前記携帯端末に記憶された前記投票データを受信し、前記アクセス時に前記携帯端末から送信される個体情報を前記個体情報管理部に送信し、さらに、前記個体情報管理部での前記個体情報の確認結果に基づいて前記投票データ管理部から前記投票データを受信する通信部と、
前記通信部において前記投票データ管理部から受信する投票データと、前記携帯端末から受信する前記投票データとを比較して、合致しているかどうかを判定する投票データ比較部と、
前記入力部による投票確定の際に投票金額を受理し、前記投票データ比較部から投票データの合致を通知された際に払戻金を出金する現金処理部と
を含む。
【０００８】
本発明の一形態における第一の公営競技における投票方法は、
利用者の携帯電話端末の個体番号を投票情報管理サーバの個体情報管理部が保存し、
投票情報管理サーバの競走情報管理部から取得した競走情報を参考に利用者によって携帯電話端末で入力された仮投票データを投票情報管理サーバの投票データ管理部に送信し、
公営競技端末装置にアクセスしている利用者の携帯電話端末の個体番号が前記個体情報管理部に登録されているかどうかによって照合を行い、
登録されていれば仮投票データを表示し入力部が利用者から投票確定の確認を取り、
入力部から投票確定が通知された場合、現金処理部が利用者から投票金額を受理し、
投票データを携帯電話端末の投票データ記憶部と前記投票情報管理サーバの投票データ管理部が記憶する。
【０００９】
本発明の一形態における第一の公営競技における投票プログラムは、
利用者の携帯電話端末の個体番号を投票情報管理サーバの個体情報管理部が保存し、
投票情報管理サーバの競走情報管理部から取得した競走情報を参考に利用者によって携帯電話端末で入力された仮投票データを投票情報管理サーバの投票データ管理部に送信し、
公営競技端末装置にアクセスしている利用者の携帯電話端末の個体番号が前記個体情報管理部に登録されているかどうかによって照合を行い、
登録されていれば仮投票データを表示し入力部が利用者から投票確定の確認を取り、
入力部から投票確定が通知された場合、現金処理部が利用者から投票金額を受理し、
投票データを携帯電話端末の投票データ記憶部と前記投票情報管理サーバの投票データ管理部が記憶する処理
をコンピュータに実行させる。
【発明の効果】
【００１０】
本発明によれば、セキュリティを維持でき、また不正に開設された銀行口座による不正投票参加を防止し投票券やマークシートを廃止（ペーパーレス）できるという効果が得られる。
【図面の簡単な説明】
【００１１】
【図１】図１は、本発明の第一の実施形態の構成を示すブロック図である。
【図２】図２は、第一の実施の形態における公営競技端末装置をコンピュータ装置とその周辺装置で実現したハードウェア構成を示す図である。
【図３】図３は、第一の実施の形態におけるペーパーレス投票システムの携帯電話端末の利用登録の動作を示すフローチャートである。
【図４】図４は、第一の実施の形態におけるペーパーレス投票システムの投票動作を示すフローチャートである。
【図５】図５は、第一の実施の形態におけるペーパーレス投票システムの払戻動作を示すフローチャートである。
【発明を実施するための形態】
【００１２】
次に、本発明の実施形態について図面を参照して詳細に説明する。
【００１３】
［第１の実施の形態］
図１は、本発明の第一の実施の形態におけるペーパーレス投票システム１０００の構成を示すブロック図である。図１を参照すると、ペーパーレス投票システム１０００は、公営競技端末装置１と携帯電話端末２と投票情報管理サーバ３と、を備える。携帯電話端末２は、携帯端末の一例である。携帯端末は、他の持ち出し可能なコンピュータまたは通信用携帯端末であってもよい。投票情報管理サーバ３は、単に管理サーバとも言う。
【００１４】
次に、第一の実施の形態におけるペーパーレス投票システム１０００の構成について説明する。
【００１５】
公営競技端末装置１は、携帯電話端末通信部１０１、投票データ比較部１０２、表示部１０３、現金処理部１０４および入力部１０５、ネットワーク通信部１０６から成り、競走場などに設置される。ただし本来の公営競技端末装置１は投票券発券およびマークシート読取の機能があるが、本実施形態では取り扱わないため投票券発券およびマークシート読取に関連する部分は省略する。
【００１６】
携帯電話端末通信部１０１は、携帯電話端末と接続、通信し情報の送受信を行う。
【００１７】
投票データ比較部１０２は、携帯電話端末通信部１０１を介して投票データ記憶部２０４から取得した携帯電話端末２の投票データと投票データ管理部３０３より取得した投票情報管理サーバ３の投票データを比較して、合致しているかどうかを判定する。
【００１８】
表示部１０３は、利用者に情報を表示する。
【００１９】
現金処理部１０４は、現金の入出金と保管の管理を行う。
【００２０】
入力部１０５は、利用者からの入力操作に用いられる。入力部１０５は、例えばタッチパネルでもよく、この場合は表示部１０３と入力部１０５が一体となる。
【００２１】
ネットワーク通信部１０６はネットワーク４を通じて投票情報管理サーバ３と各種データの送受信を行う。
【００２２】
携帯電話端末２は、制御部２０１、競走情報記憶部２０２、個体情報記憶部２０３および投票データ記憶部２０４を含み、利用者個人が所有し携帯する。
【００２３】
制御部２０１は、利用者からの操作によって所定の処理を行う。
【００２４】
競走情報記憶部２０２は、投票情報管理サーバ３の競走情報管理部３０２から取得した競走情報を保存する。
【００２５】
個体情報記憶部２０３は、携帯電話端末２が個別に固有に持っている個体情報を記憶する。
【００２６】
投票データ記憶部２０４は、投票が確定した投票データを記憶する。
【００２７】
投票情報管理サーバ３は、個体情報管理部３０１、競走情報管理部３０２および投票データ管理部３０３を含み、競走情報や投票データの保存、管理を行う。
【００２８】
競走情報管理部３０２は、各競走のオッズ等の情報を管理する。また、携帯電話端末２の要求に応じて競走情報を配信する。
【００２９】
投票データ管理部３０３は、携帯電話端末２から受信した仮投票データや投票確定した投票データを保存、管理する。
【００３０】
公営競技端末装置１、携帯電話端末２、投票情報管理サーバ３はネットワーク４によって相互に接続している。携帯電話端末２、投票情報管理サーバ３は、ネットワーク４への接続、通信相手側装置との通信のための図示しないネットワークインタフェースまたは通信回路を有する。
【００３１】
図２は、本発明の第一の実施の形態における公営競技端末装置１をコンピュータおよびその周辺装置で実現したハードウェア構成を示す図である。図２に示されるように、公営競技端末装置１は、ネットワークインタフェース１０、ＣＰＵ１１、出力装置１２、入力装置１３、主記憶装置１４、二次記憶装置１５、周辺装置１６を含む。また、公営競技端末装置１は、ネットワークインタフェース１０を介してネットワーク４にて他の公営競技端末装置および投票情報管理サーバ３に接続されている。ネットワークインタフェース１０は、図１におけるネットワーク通信部１０６である。
【００３２】
ＣＰＵ１１は、オペレーティングシステムを動作させて本発明の第一の実施の形態に係る公営競技端末装置１の全体を制御する。また、ＣＰＵ１１は、例えばドライブ装置などの二次記憶装置１５から主記憶装置１４にプログラムやデータを読み出し、第一の実施の形態における、携帯端末通信部１０１、投票データ比較部１０２として各種の処理を実行する。
【００３３】
出力装置１２は、例えばディスプレイで実現され、表示部１０３において出力を確認するために用いられる。また、保守用ディスプレイなど、図１に図示しない出力装置を設けても良い。
【００３４】
入力装置１３は、例えばマウスやキーボード、内蔵のキーボタンなどで実現され、入力部１０５の入力操作に用いられる。また入力装置１３は、マウスやキーボード、内蔵のキーボタンに限らず、例えばタッチパネルでもよく、この場合は入力装置１３と出力装置１２を兼ねる。
【００３５】
二次記憶装置１５は、例えば光ディスク、フレキシブルディスク、磁気光ディスク、ハードディスク、または半導体メモリ等であって、コンピュータプログラムをコンピュータ読み取り可能に記録する。また、コンピュータプログラムは、通信網に接続されている図示しない外部コンピュータからダウンロードされてもよい。
【００３６】
周辺装置１６は、例えば非接触ＩＣカードリーダライタ、現金処理ユニット等であってもよい。この場合、公営競技端末装置１に特定の機能を追加する。例えば非接触ＩＣカードリーダライタは携帯電話端末２との通信を行い、携帯電話端末通信部１０１を実現する。また現金処理ユニットは現金の入出金と保管の管理を行い、現金処理部１０４を実現する。
【００３７】
以上のように構成されたペーパーレス投票システム１０００の動作について、図３、図４、図５のフローチャートを参照して説明する。
【００３８】
図３は、第一の実施の形態におけるペーパーレス投票システム１０００での携帯電話端末２の利用登録の動作の概要を示すフローチャートである。
【００３９】
図３に示すように、まず、競技場の窓口の図示しない運営側端末が利用登録希望者の本人確認結果を受理した後（ステップＳ１０１）、その確認情報は端末から投票情報管理サーバ３に出力される。確認情報に基づき本人確認に問題なければ（ステップＳ１０２）、投票情報管理サーバ３は、利用登録希望者の携帯電話端末２と通信する。これにより投票情報管理サーバ３は、携帯電話端末２の個体情報記憶部２０３に記憶されている個体番号を受理し、投票情報管理サーバ３の個体情報管理部３０１に登録する（ステップＳ１０３）。
具体的な本人確認の方法は公的身分証明の提示など競技場の運営側に於いて適宜決定し、運営側端末を操作して投票情報管理サーバ３に確認情報を送信する。また具体的な携帯電話端末２の個体番号の登録方法は、図示しない運営側端末用携帯電話端末通信部が利用登録する携帯電話端末２と通信し個体番号を取得する、窓口にて人手で個体番号を入力するなど、どの方法でも良い。
【００４０】
本人確認に問題があった場合は、投票情報管理サーバ３は個体番号の登録を拒絶する（ステップＳ１０４）。
【００４１】
以上で、ペーパーレス投票システム１０００での携帯電話端末２の利用登録の動作を終了する。
【００４２】
図４は、第一の実施の形態におけるペーパーレス投票システム１０００での投票の動作の概要を示すフローチャートである。
【００４３】
図４に示すように、まず、携帯電話端末２は、制御部２０１が利用者の操作によって入手した競走情報の要求情報を、ネットワーク４を経由して投票情報管理サーバ３の競走情報管理部３０２に送信し、競走情報の配信を要求する（ステップＳ２０１）。要求の送信と同時に、携帯電話端末２は、個体情報記憶部２０３に格納された携帯電話端末２の個体番号を、投票情報管理サーバ３に送信する（ステップＳ２０２）。投票情報管理サーバ３は、個体情報管理部３０１でその個体番号を受信する。
【００４４】
次に、個体情報管理部３０１は利用登録が完了している利用者からの要求かどうかを判断するため、携帯電話端末２から受信した携帯電話端末２の個体番号が登録済みであるか確認する（ステップＳ２０３）。個体番号が登録済みでなければ、個体情報管理部３０１はエラーメッセージを携帯電話端末２に配信し（ステップＳ２０４）、処理を終了する。登録済みであれば、競走情報管理部３０２はステップＳ２０１で要求された競走情報を携帯電話端末２に送信する（ステップＳ２０５）。携帯電話端末２の制御部２０１は、受信した競走情報を競走情報記憶部２０２に格納する。
【００４５】
次に、制御部２０１は競走情報記憶部２０２に格納された競走情報を読み出し、利用者に対し表示により提示する。これにより利用者が図示しない入力部を操作して、競走情報から選択した投票情報を制御部２０１が受信し、仮投票データとして投票データ管理部３０３に送信する（ステップＳ２０６）。投票データ管理部３０３は、受信した仮投票データを記憶する。
【００４６】
次に、制御部２０１の指示に基づき携帯電話端末２が携帯電話端末通信部１０１を介して公営競技端末装置１にアクセスした場合、携帯電話端末通信部１０１は、個体情報記憶部２０３から読み取られ制御部２０１から送信される個体番号を受信する（ステップＳ２０７）。
【００４７】
次に、ネットワーク通信部１０６は、投票情報管理サーバ３にステップＳ２０７で携帯電話端末通信部１０１が読み取った携帯電話端末２の個体番号を送信する（ステップＳ２０８）。これにより、個体情報管理部３０１と投票データ管理部３０３は、携帯電話端末２の個体番号を受け取る。
【００４８】
次に、個体情報管理部３０１は、利用登録が完了している利用者からの要求かどうかを判断するため、公営競技端末装置１から受信した携帯電話端末２の個体番号が登録済みであるか確認する（ステップＳ２０９）。登録済みでなければ、個体情報管理部３０１は、公営競技端末装置１にエラーメッセージを送信する。これをネットワーク通信部１０６が受信することにより、表示部１０３はエラーメッセージを表示し（ステップＳ２１０）、処理を終了する。
【００４９】
個体情報管理部３０１による確認で登録済みであれば、投票データ管理部３０３は、受信した個体番号で登録されている仮投票データを記憶しているかどうかを調査する（ステップＳ２１１）。もし仮投票データが無かった場合、投票データ管理部３０３は「登録されている投票データが無い」というエラーメッセージを公営競技端末装置１に送信する。これをネットワーク通信部１０６が受信することにより、表示部１０３は「登録されている投票データが無い」旨のエラーメッセージを表示し（ステップＳ２１２）、処理を終了する。もし仮投票データが記憶されていた場合、投票データ管理部３０３は、公営競技端末装置１にその仮投票データを送信し、これをネットワーク通信部１０６が受信することにより、表示部１０３に仮投票データの内容を表示させる（ステップＳ２１３）。
【００５０】
次に、表示されている投票内容で間違いないかどうか携帯電話端末２の利用者に確認させる。具体的には利用者に入力部１０５のボタンで確認させる等の手段をとる（ステップＳ２１４）。もし、入力部１０５は、利用者のボタン操作を検出し、表示された仮投票データの内容が正しくないと判断した場合、入力部１０３は、投票データの登録し直しを促すメッセージを表示部１０３に表示させ（ステップＳ２１５）、処理を終了する。投票データの登録し直しの場合、ステップＳ２０６の動作を実行する。もし入力部１０５は仮投票データの内容が正しいと判断した場合、現金処理部１０４は利用者に投票金額（掛け金）を投入させるため、接客口を開放し投票金額を受理する（ステップＳ２１６）。
【００５１】
次に、現金処理部１０４は入金完了したことを携帯電話端末通信部１０１とネットワーク通信部１０６に通知し、ネットワーク通信部１０６は投票データ管理部３０３に入金完了を通知する（ステップＳ２１７）。
【００５２】
最後に、入金完了の通知後、ネットワーク通信部１０６は、投票情報管理サーバ３にアクセスし、仮投票データまたは登録し直された仮投票データを投票データ管理部３０３から取得し、その仮投票データを携帯電話端末通信部１０１を通じて携帯電話端末２に送信する。これにより、制御部２０１は、仮投票データを投票データに変換して投票データ記憶部２０４に保存し（ステップＳ２１８）、同時に投票データ管理部３０３は自身に保存されている仮投票データを投票データに変換する（ステップＳ２１９）。両方とも具体的には仮投票フェーズのフラグを投票フェーズのフラグに変更する等いずれの方法でも良い。
【００５３】
以上で、ペーパーレス投票システム１０００は投票の動作を終了する。
【００５４】
図５は、第一の実施の形態におけるペーパーレス投票システム１０００での払戻の動作の概要を示すフローチャートである。
【００５５】
図５に示すように、まず、制御部２０１の制御に基づき携帯電話端末２が携帯電話端末通信部１０１を介して公営競技端末装置１にアクセスした場合、携帯電話端末通信部１０１は、個体情報記憶部２０３から読み取られ制御部２０１から送信された個体番号を受信する（ステップＳ３０１）。
【００５６】
次に、ネットワーク通信部１０６は、投票情報管理サーバ３にステップＳ３０１で携帯電話端末通信部１０１が読み取った携帯電話端末２の個体番号を送信する（ステップＳ３０２）。これにより、個体情報管理部３０１と投票データ管理部３０３は、携帯電話端末２の個体番号を受け取る。
【００５７】
次に、個体情報管理部３０１は利用登録が完了している利用者からの要求かどうかを判断するため、受信した携帯電話端末２の個体番号が登録済みであるか確認する（ステップＳ３０３）。登録済みでなければ、個体情報管理部３０１は、公営競技端末装置１にエラーメッセージを送信する。これをネットワーク通信部１０６が受信することにより、表示部１０３はエラーメッセージを表示し（ステップＳ３０４）、処理を終了する。
【００５８】
個体番号が登録済みであれば、投票データ管理部３０３は受信した個体番号で登録されている投票データがあるかどうかを調査する（ステップＳ３０５）。もし無かった場合、投票データ管理部３０３は公営競技端末装置１に「登録されている投票データが無い」旨のエラーメッセージを送信する。これをネットワーク通信部１０６が受信することにより、表示部１０３はエラーメッセージを表示し（ステップＳ３０６）、処理を終了する。
【００５９】
もし投票データがあった場合、投票データ比較部１０２は、携帯電話端末通信部１０１を介して携帯電話端末２の投票データ記憶部２０４から取得した携帯電話端末２の投票データと、ネットワーク通信部１０６を介して投票データ管理部３０３より取得した投票情報管理サーバ３の投票データを比較して、合致しているかどうかを判定する（ステップＳ３０７）。比較の対象となる携帯電話端末２の投票データ記憶部２０４からの投票データは、ステップＳ３０１の時点で、利用者による図示しない入力部の操作に基づき投票データ記憶部２０４から読み出されて携帯電話端末２から送信されていても良い。
ステップＳ３０７において、もし合致していなかった場合、投票データ比較部１０２は表示部１０３にエラーメッセージを表示させ（ステップＳ３０８）、処理を終了する。もし合致していた場合、投票データ比較部１０２からの指示により現金処理部１０４は利用者に払戻金を出金する（ステップＳ３０９）。
【００６０】
次に、現金処理部１０４は出金完了したことを携帯電話端末通信部１０１とネットワーク通信部１０６に通知し、ネットワーク通信部１０６は投票データ管理部３０３に出金完了を通知する（ステップＳ３１０）。
【００６１】
最後に、出金完了の通知を受信した携帯電話端末通信部１０１は、携帯電話端末２に対し投票データ無効化の指示を送信し、その指示を受信した制御部２０１は、払戻完了した投票データ記憶部２０４の投票データを無効化する（ステップＳ３１１）。また、出金完了の通知を受信した投票データ管理部３０３は、自身に保存されている払戻完了した投票データを無効化する（ステップＳ３１２）。具体的に、無効化は、投票データ自体を削除する、投票データの未払戻フラグを払戻済フラグに変更する等いずれの方法でも良い。
【００６２】
以上で、ペーパーレス投票システム１０００は払戻の動作を終了する。
【００６３】
次に、本発明の第１の実施の形態の効果について説明する。
【００６４】
上述した本実施形態におけるペーパーレス投票システム１０００は、セキュリティを保ちながらペーパーレス化できる。
【００６５】
その理由は、以下のような構成を含むからである。即ち、第１に個体情報管理部が利用登録希望者の本人確認を行うために、利用登録希望者が利用する携帯端末から個体情報を受信し記憶する。第２に、掛け金投入と払戻には銀行口座を使わず公営競技端末装置１の現金処理部１７が現金の入出金を管理する。第３に、公営競技端末装置１は、マークシートを使わずに、仮投票データ登録を行った携帯電話端末２との通信によって投票を受理し、投票券も発行せず投票情報管理サーバ３の投票データと携帯電話端末２の投票データとの照合によって払戻を行う。これにより、未成年の契約や他人になりすました契約、不正に開設された銀行口座、例えば違法ななりすまし口座の利用による不正投票参加の危険性を排除しながらマークシートと投票券を廃止できるので、セキュリティを保ちながらペーパーレス化できるという効果が得られる。
【００６６】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００６７】
以上、各実施の形態を参照して本発明を説明したが、本発明は上記実施の形態に限定されるものではない。本発明の構成や詳細には、本発明のスコープ内で当業者が理解しえる様々な変更をすることができる。
【００６８】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００６９】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００７０】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００７１】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【符号の説明】
【００７２】
１    公営競技端末装置
２    携帯電話端末
３    投票情報管理サーバ
４    ネットワーク
１０    ネットワークインタフェース
１１    ＣＰＵ
１２    出力装置
１３    入力装置
１４    主記憶装置
１５    二次記憶装置
１６    周辺装置
１０１    携帯電話端末通信部
１０２    投票データ比較部
１０３    表示部
１０４    現金処理部
１０５    入力部
１０６    ネットワーク通信部
２０１    制御部
２０２    競走情報記憶部
２０３    個体情報記憶部
２０４    投票データ記憶部
３０１    個体情報管理部
３０２    競走情報管理部
３０３    投票データ管理部
１０００    ペーパーレス投票システム
【図１】
0005664566.tif 000002
【図２】
0005664566.tif 000003
【図３】
0005664566.tif 000004
【図４】
0005664566.tif 000005
【図５】
0005664566.tif 000006